(57)【要約】【課題】使用者が様々な大きさの開口を有する便座に対して使用しても安定して着座でき、メーカにとっても製造コストの高騰化を生じない補高便座を提供する。【解決手段】補高便座１は、洋風便器９０上に設けられて中央にＯ字状の開口９１ａが形成された便座９１上に載置され、着座面１２を便座９１よりも高くする。  この補高便座１は、着座面１２を形成する本体１１と、本体１１の裏面１４から一体に突設され、開口９１ａにおける前方側の内縁に当接し得る第１リブ２１と、本体１１の裏面１４から一体に突設され、開口９１ａにおける後方側の内縁に当接し得る第２リブ３１とを有する。第２リブ３１は前後方向に複数条で整列する調整リブ３１ａ、３１ｂ、３１ｃであり、各調整リブ３１ａ、３１ｂ、３１ｃは本体１１と分離可能に構成されている。【選択図】図２
2007151774.tif 000002
【特許請求の範囲】
【請求項１】
洋風便器上に設けられて中央にＯ字状又はＵ字状の開口が形成された便座上に載置され、着座面を該便座よりも高くする補高便座において、
前記着座面を形成する本体と、該本体の裏面から一体に突設され、前記開口における前後方向の一方側の内縁に当接し得る第１リブと、該本体の裏面から一体に突設され、該開口における該前後方向の他方側の内縁に当接し得る第２リブとを有し、
該第１リブ及び該第２リブの少なくとも一方は該前後方向に複数条で整列する調整リブであり、各該調整リブは該本体と分離可能に構成されていることを特徴とする補高便座。
【請求項２】
各前記調整リブと前記本体との境界には、該境界に沿う溝が形成されている請求項１記載の補高便座。
【発明の詳細な説明】
【技術分野】
【０００１】
本発明は補高便座に関する。
【背景技術】
【０００２】
特許文献１に従来の補高便座が開示されている。この補高便座は、クッション性のある軟質材料からなる一体成形品であり、着座面を形成する本体と、本体の裏面の内縁側から下方に垂設されるフランジとを有する。
【０００３】
このような構成である従来の補高便座は、洋風便器上に設けられて中央にＯ字状又はＵ字状の開口が形成された便座上に載置され、着座面を便座よりも高くする。この際、補高便座は、フランジが便座の開口の内縁に当接し、便座に対して位置決め固定される。
【０００４】
このため、この補高便座は、例えば、老人、病人又は身障者等の弱者が洋風便器を使用する際の介護に利用される。そして、この補高便器は、洋風便器に腰掛けたり、洋風便器から立ち上がる際の動作を容易にしたり、座り心地を良くしたりして、洋風便器の使用時の快適性を向上させることができる。
【０００５】
【特許文献１】特許３５９７０９３号公報
【発明の開示】
【発明が解決しようとする課題】
【０００６】
しかし、上記従来の補高便座は、特定の大きさのフランジが本体に一体成形されているものであるため、補高便座のフランジが当接可能な大きさの開口が形成された便座に装着された場合にしか、便座に対して位置決め固定されない。一方、便座には、使用者の体格等に応じ、一般に大型、標準及び共用のものが存在し、これらは開口に大小を有している。
【０００７】
このため、補高便座を購入しようとする者は、使用している便座に適合したフランジをもつ補高便座を購入しなければならない。仮に便座に適合していないフランジをもつ補高便座を購入してしまった場合には、便座の開口の大きさと補高便座のフランジの大きさとが一致せず、フランジと開口の内縁との間にガタが生じてしまうという不具合が生じることが多かった。この場合、老人等の弱者は着座の姿勢が安定せず、危険でもある。この不具合には、介護用途に利用される補高便座の性質上、洋風便器の付属品として洋風便器と同時に購入されることが少ないという事情も影響している。
【０００８】
また、メーカとしては、便座の種類に応じた補高便座を用意しなければならず、製造コストの高騰化を生じてしまう。
【０００９】
本発明は、上記従来の実情に鑑みてなされたものであって、使用者が様々な大きさの開口を有する便座に対して使用しても安定して着座でき、メーカにとっても製造コストの高騰化を生じない補高便座を提供することを解決すべき課題としている。
【課題を解決するための手段】
【００１０】
本発明の補高便座は、洋風便器上に設けられて中央にＯ字状又はＵ字状の開口が形成された便座上に載置され、着座面を該便座よりも高くする補高便座において、
前記着座面を形成する本体と、該本体の裏面から一体に突設され、前記開口における前後方向の一方側の内縁に当接し得る第１リブと、該本体の裏面から一体に突設され、該開口における該前後方向の他方側の内縁に当接し得る第２リブとを有し、
該第１リブ及び該第２リブの少なくとも一方は該前後方向に複数条で整列する調整リブであり、各該調整リブは該本体と分離可能に構成されていることを特徴とする。
【００１１】
このような構成である本発明の補高便座は便座上に載置され、着座面を便座よりも高くする。このため、この補高便座は、例えば、老人、病人又は身障者等の弱者が洋風便器を使用する際の介護に利用され、使用者が洋風便器に腰掛けたり、洋風便器から立ち上がる際の動作を容易にしたり、座り心地を良くしたりして、洋風便器の使用時の快適性を向上させることができる。
【００１２】
ここで、本発明の補高便座は、便座上に載置される際、下記のようにして位置決め固定のための調整が実施される。ここでは、補高便座の第１リブが１体であり、第２リブが前後方向に複数条で整列する調整リブである場合を例として説明する。
【００１３】
補高便座が載置される便座には、使用者の体格等に応じ、一般に大型、標準及び共用のものが存在し、これらは開口に大小を有している。このため、最初に、便座の中央に形成されたＯ字状又はＵ字状の開口の前後方向の長さを確認する。次に、便座の開口の前後方向の長さと、第１リブと各第２リブのいずれか１体との間の長さとを比較して、前者に対して後者が短くかつ差が最も小さくなる１体の第２リブを特定する（以下、特定第２リブとする。）。そして、各第２リブが本体と分離可能に構成されていることから、特定第２リブ以外の各第２リブを本体から分離する。なお、特定第２リブ以外の各第２リブのうち、便座と干渉しないものは分離しなくてもよい。
【００１４】
このように処理された本発明の補高便座は、便座上に載置されると、本体の裏面から一体に突設された第１リブ及び特定第２リブが便座の開口の前後方向の内縁に当接することとなる。この際、便座の開口の前後方向の長さに対して、第１リブと特定第２リブとの間の長さを短くかつ差を小さくすることができるので、補高便座の便座に対するガタを小さくしつつ、補高便座を便座に対して位置決め固定することができる。こうして、この補高便座は、開口に大小を有する各種の便座に対して、位置決め固定することが可能である。
【００１５】
このため、補高便座を購入しようとする者は、使用している便座の開口に適合した大きさのフランジをもつ補高便座を購入しなくてもよい。また、補高便座の便座に対するガタを小さくできるので、老人等の弱者は着座の姿勢が安定し、安全に利用できる。
【００１６】
また、メーカとしては、便座の種類に応じた補高便座を用意しなくてもよくなり、製造コストの高騰化を生じない。
【００１７】
したがって、本発明の補高便座は、使用者が様々な大きさの開口を有する便座に対して使用しても安定して着座でき、メーカにとっても製造コストの高騰化を生じない。
【００１８】
補高便座の第２リブが１本であり、第１リブが前後方向に複数条で整列する調整リブである場合も同様である。また、補高便座の第１、２リブが前後方向に複数条で整列する調整リブである場合には、より細かな調節が可能である。
【００１９】
補高便座を構成する材料としては、ゴム、エラストマー、発泡ポリウレタン樹脂、軟質塩ビ樹脂その他の軟質材料、ＡＢＳ樹脂、ＰＰ樹脂その他の硬質材料等の一般的なものを採用可能である。軟質材料からなる補高便座の場合、クッション性や臀部の形状への追従性が高いので、着座の際の感触を快適にすることができる。また、調整リブを本体から分離する際にも、カッター等を用いた手作業により、容易に切断して分離できる。
【００２０】
本発明の補高便座において、各前記調整リブと前記本体との境界には、該境界に沿う溝が形成されていることが好ましい。
【００２１】
この場合、調整リブを本体から分離する作業を容易に実施することができる。例えば、軟質材料からなる補高便座の場合、溝に沿ってカッター等で切断することにより、調整リブを本体から容易に分離できる。また、硬質材料からなる補高便座の場合、調整リブの溝から先端側を折り曲げて溝の部分で折損させることにより、調整リブを本体から容易に分離できる。
【発明を実施するための最良の形態】
【００２２】
以下、本発明を具体化した実施例１〜４を図面を参照しつつ説明する。
【実施例１】
【００２３】
図１に示すように実施例１の補高便座１は、洋風便器９０上に設けられて中央にＯ字状の開口９１ａが形成された便座９１上に載置されるものである。
【００２４】
補高便座１は、図２及び図３に示すように、クッション性のある軟質材料である熱可塑性エラストマーが一体成形されてなるものであり、着座面１２を形成する本体１１と、本体１１の裏面１４の内縁側から下方に垂設されるフランジ１３とを有する。
【００２５】
また、補高便座１は、本体１１の裏面１４から一体に突設され、開口９１ａにおける前方側の内縁に当接し得る一体の第１リブ２１と、本体１１の裏面１４から一体に突設され、開口９１ａにおける後方側の内縁に当接し得る第２リブ３１とを有する。第２リブ３１は、図３に拡大して示すように、前後方向に複数条で整列する調整リブ３１ａ、３１ｂ、３１ｃである。各調整リブ３１ａ、３１ｂ、３１ｃと本体１１との境界には、境界に沿う溝１１ａが形成されている。このため、補高便座１は、カッター等の一般的な切断手段を溝１１ａに沿って移動させつつ、各調整リブ３１ａ、３１ｂ、３１ｃを切断することにより、各調整リブ３１ａ、３１ｂ、３１ｃを本体から分離する作業を容易に実施可能とされている。
【００２６】
このような構成である実施例１の補高便座１は便座９１上に載置され、着座面１２を便座９１よりも高くする。このため、この補高便座１は、例えば、老人、病人又は身障者等の弱者が洋風便器９０を使用する際の介護に利用され、使用者が洋風便器９０に腰掛けたり、洋風便器９０から立ち上がる際の動作を容易にしたり、座り心地を良くしたりして、洋風便器９０の使用時の快適性を向上させることができている。
【００２７】
ここで、実施例１の補高便座１は、便座９１上に載置される際、下記のようにして位置決め固定のための調整が実施される。
【００２８】
補高便座１が載置される便座９１には、使用者の体格等に応じ、一般に大型、標準及び共用のものが存在し、これらは開口に大小を有している。このため、最初に、図５（ａ）に示すように、便座９１の中央に形成された開口９１ａの前後方向の長さＬ１を確認する。
【００２９】
次に、便座９１の開口９１ａの前後方向の長さＬ１と、第１リブ２１と各調整リブ３１ａ、３１ｂ、３１ｃのいずれか一体との間の長さとを比較して、前者に対して後者が短くかつ差が最も小さくなる各調整リブ３１ａ、３１ｂ、３１ｃのいずれか一体を特定する。実施例１の場合、便座９１の開口９１ａの前後方向の長さＬ１に対して、第１リブ２１と調整リブ３１ａとの間の長さＬ２が短くかつ差が最も小さくなっていることから、調整リブ３１ａを特定第２リブとする。そして、各調整リブ３１ａ、３１ｂ、３１ｃは、本体１１と分離可能に構成されていることから、図５（ｂ）に示すように、特定第２リブである調整リブ３１ａ以外の調整リブ３１ｂ、３１ｃをカッター等の一般的な切断手段を用いて本体１１から分離する。
【００３０】
このように処理された実施例１の補高便座１は、図５（ｃ）に示すように、便座９１上に載置されると、本体１１の裏面１４から一体に突設された第１リブ２１及び調整リブ３１ａが便座９１の開口９１ａの前方側及び後方側の内縁に当接することとなる。この際、便座９１の開口９１ａの前後方向の長さＬ１に対して、第１リブ２１と調整リブ３１ａとの間の長さＬ２を短くかつ差を小さくすることができているので、補高便座１の便座９１に対するガタを小さくしつつ、補高便座１を便座９１に対して位置決め固定することができる。こうして、この補高便座１は、開口９１ａに大小を有する各種の便座９１に対して、位置決め固定することが可能となっている。
【００３１】
このため、補高便座１を購入しようとする者は、使用している便座９１の開口９１ａに適合した大きさのフランジ１３をもつ補高便座を購入しなくてもよい。また、補高便座１の便座９１に対するガタを小さくできているので、老人等の弱者は着座の姿勢が安定し、安全に利用できる。
【００３２】
また、メーカとしては、便座９１の種類に応じた補高便座を用意しなくてもよくなっており、製造コストの高騰化を生じない。
【００３３】
したがって、実施例１の補高便座１は、使用者が様々な大きさの開口を有する便座に対して使用しても安定して着座でき、メーカにとっても製造コストの高騰化を生じない。
【実施例２】
【００３４】
実施例２の補高便座２は、実施例１の補高便座１の第１リブ２１の代わりに、図６及び図７に示す第１リブ２２を採用するものである。その他の構成は実施例１の補高便座１と同様であるので、説明は省く。
【００３５】
第１リブ２２は、前後方向に複数条で整列する調整リブ２２ａ、２２ｂ、２２ｃであり、第２リブ３１の調整リブ３１ａ、３１ｂ、３１ｃと同一形状とされている。
【００３６】
このような構成である実施例２の補高便座２も便座９１上に載置され、実施例１の補高便座と同様の作用効果を奏する。
【００３７】
そして、実施例２の補高便座２は、第１リブ２２の調整リブ２２ａ、２２ｂ、２２ｃのいずれか一体と、第２リブ３１の調整リブ３１ａ、３１ｂ、３１ｃのいずれか一体との６通りの組合せの中から、便座９１の中央に形成された開口９１ａの前後方向の長さＬ１より短くかつ最もガタの小さいものを選択することができる。このため、この補高便座２は、より細かな調節が可能となっており、本発明の効果をより確実に奏することができている。
【実施例３】
【００３８】
実施例１の補高便座１がＯ字状であるのに対して、図８及び図９に示すように、実施例３の補高便座３は前方側に切り欠き１１ｂを有するＵ字状とされ、その形状に対応するニ体の第１リブ２３ａ、２３ｂを有している。その他の構成は、実施例１の補高便座１と同様であるので、説明は省く。
【００３９】
第１リブ２３ａ、２３ｂは、本体１１の裏面１４から一体に突設され、開口９１ａにおける前方側の内縁に当接し得る位置に配置されている。
【００４０】
このような構成である実施例３の補高便座３も、実施例１、２の補高便座１、２と同様の効果を奏することができている。また、この補高便座３は、Ｕ字状の開口が形成された便座にも適用することができる。
【実施例４】
【００４１】
実施例４の補高便座４は、図１０に示すように、実施例３の補高便座３と同様に、ニ体の第１リブ２３ａ、２３ｂを有しているが、実施例３の補高便座３のような切り欠き１１ｂがなく、Ｏ字状のものである。その他の構成は、実施例３の補高便座３と同様であるので、説明は省く。
【００４２】
このような構成である実施例４の補高便座４も、実施例１〜３の補高便座１〜３と同様の効果を奏することができている。
【００４３】
以上において、本発明を実施例１〜４に即して説明したが、本発明は上記実施例１〜４に制限されるものではなく、その趣旨を逸脱しない範囲で適宜変更して適用できることはいうまでもない。
【００４４】
例えば、実施例１の補高便座１において、第１リブ２１が後方側に設けられ、第２リブが前方側に設けられていてもよい。
【産業上の利用可能性】
【００４５】
本発明は補高便座に利用可能である。
【図面の簡単な説明】
【００４６】
【図１】実施例１の補高便座及び補高便座が載置される洋風便器の斜視図である。
【図２】実施例１の補高便座の概略断面図である。
【図３】実施例１の補高便座の下面図である。
【図４】実施例１の補高便座に係り、図２のＺ部を示す要部拡大断面図である。
【図５】実施例１の補高便座に係り、洋風便器に位置決め固定する手順を示す概略断面図である。
【図６】実施例２の補高便座の概略断面図である。
【図７】実施例２の補高便座の下面図である。
【図８】実施例３の補高便座の概略断面図である。
【図９】実施例３の補高便座の下面図である。
【図１０】実施例４の補高便座の下面図である。
【符号の説明】
【００４７】
１、２、３、４…補高便座
１１…本体
１１ａ…溝
１２…着座面
１４…裏面
２１、２２、２３ａ、２３ｂ…第１リブ
３１…第２リブ
２２ａ、２２ｂ、２２ｃ、３１ａ、３１ｂ、３１ｃ…調整リブ
９０…洋風便器
９１…便座
９１ａ…開口
【図１】
2007151774.tif 000003
【図２】
2007151774.tif 000004
【図３】
2007151774.tif 000005
【図４】
2007151774.tif 000006
【図５】
2007151774.tif 000007
【図６】
2007151774.tif 000008
【図７】
2007151774.tif 000009
【図８】
2007151774.tif 000010
【図９】
2007151774.tif 000011
【図１０】
2007151774.tif 000012